(57)【要約】【課題】ライニングを通したトイレ装置との接続の容易性の低下を抑制しつつ、耐火性を向上できる、継手、ライニングユニット、およびトイレユニットを提供する。【解決手段】実施形態に係る継手は、ライニングの内側に設けられる第１部分と、前記ライニングの外側に設けられトイレ装置と接続される第２部分と、を有する接続部と、前記第１部分の少なくとも一部を被覆する被覆部材と、前記接続部と前記被覆部材との間に設けられる第１部材と、を備え、前記被覆部材の耐火性は、前記第１部分の耐火性よりも高く、前記第１部材の剛性は、前記被覆部材の剛性よりも低い。【選択図】図１
2019100533.tif 000002
【特許請求の範囲】
【請求項１】
ライニングの内側に設けられる第１部分と、前記ライニングの外側に設けられトイレ装置と接続される第２部分と、を有する接続部と、
前記第１部分の少なくとも一部を被覆する被覆部材と、
前記接続部と前記被覆部材との間に設けられる第１部材と、
を備え、
前記被覆部材の耐火性は、前記第１部分の耐火性よりも高く、
前記第１部材の剛性は、前記被覆部材の剛性よりも低い継手。
【請求項２】
ライニングの内側に設けられる第１部分と、前記ライニングの外側に設けられトイレ装置と接続される第２部分と、を有する接続部と、
前記第１部分の少なくとも一部を被覆する第１部材と、
を備え、
前記第１部材の耐火性は、前記第１部分の耐火性よりも高く、
前記第１部材の剛性は、前記第１部分の剛性よりも低い継手。
【請求項３】
前記第１部分には、前記接続部の内部に通じる開口部が設けられた請求項１または２に記載の継手。
【請求項４】
第２部材をさらに備え、
前記開口部は、前記第１部分から上方に向けて突出し、
前記第２部材は、前記開口部の周りに設けられ、
前記第２部材の耐火性は、前記第１部分および前記開口部の耐火性よりも高い請求項３記載の継手。
【請求項５】
請求項３または４に記載の前記継手と、
前記ライニングと、
を備え、
前記ライニングには、前記トイレ装置に給水するための給水管と前記トイレ装置とを連結する連結部材が設けられ、
前記連結部材は、前記接続部よりも上方に位置し、
前記開口部は、前記第１部分から上方に向けて突出し、
前記連結部材の一部は、前記開口部の一部と同じ高さに設けられるライニングユニット。
【請求項６】
請求項３または４に記載の前記継手と、
前記ライニングと、
前記トイレ装置と、
を備え、
前記トイレ装置は、前記ライニングと固定されるトイレユニット。
【発明の詳細な説明】
【技術分野】
【０００１】
本発明の態様は、一般的に、継手、ライニングユニット、およびトイレユニットに関する。
【背景技術】
【０００２】
大便器や小便器、オストメイト対応トイレなどのトイレ装置に接続される配管は、例えば、ライニング内に収納される。この場合、ライニング内の配管とトイレ装置とは、継手を介して接続される。
【０００３】
この継手には、耐火性が求められる場合がある。例えば、特許文献１では、継手の外周にモルタル製の短い管を複数個設け、さらにその外周を耐火性繊維材料で被覆する技術が開示されている。特許文献２では、耐火二層管と別の配管との間の接続部分に耐火性を付与する技術が開示されている。
【先行技術文献】
【特許文献】
【０００４】
【特許文献１】特許第５２４８９０７号公報
【特許文献２】特許第４３１２１３８号公報
【発明の概要】
【発明が解決しようとする課題】
【０００５】
トイレ装置については、形状および寸法のばらつきや、ライニングに取り付ける際の取り付け位置のばらつきが存在する。このため、継手は、これらのばらつきに応じて、ライニングや耐火性を有する部材に対して動かせることが望ましい。継手をばらつきに応じて動かせることで、継手とトイレ装置との接続が容易となり、施工性が向上する。
【０００６】
一方で継手の耐火性を高める場合に、モルタルなどからなる剛性の高い部材を用いると、耐火性の部材に対して継手を動かすことが困難となる。このため、ばらつきに応じて継手を動かすことが出来ず、継手とトイレ装置との接続が難しくなる。
【０００７】
本発明は、かかる課題の認識に基づいてなされたものであり、ライニングを通したトイレ装置との接続の容易性の低下を抑制しつつ、耐火性を向上できる、継手、ライニングユニット、およびトイレユニットを提供することを目的とする。
【課題を解決するための手段】
【０００８】
第１の発明は、ライニングの内側に設けられる第１部分と、前記ライニングの外側に設けられトイレ装置と接続される第２部分と、を有する接続部と、前記第１部分の少なくとも一部を被覆する被覆部材と、前記接続部と前記被覆部材との間に設けられる第１部材と、を備え、前記被覆部材の耐火性は、前記第１部分の耐火性よりも高く、前記第１部材の剛性は、前記被覆部材の剛性よりも低い継手である。
【０００９】
この継手によれば、被覆部材により耐火性を向上できる。そして、被覆部材と第１部分との間には、被覆部材よりも剛性が低い第１部材が設けられる。このため、被覆部材を設けた場合であっても、接続部に力を加えて第１部材を変形させることで、接続部を動かすことができる。これにより、耐火性を高めることによる継手とトイレ装置との接続の容易性の低下を抑制できる。
【００１０】
第２の発明は、ライニングの内側に設けられる第１部分と、前記ライニングの外側に設けられトイレ装置と接続される第２部分と、を有する接続部と、前記第１部分の少なくとも一部を被覆する第１部材と、を備え、前記第１部材の耐火性は、前記第１部分の耐火性よりも高く、前記第１部材の剛性は、前記第１部分の剛性よりも低い継手である。
【００１１】
この継手によれば、第１部材により耐火性を向上できる。そして、第１部材の剛性は第１部分の剛性より低い。このため、第１部材を設けた場合であっても、接続部を動かすことができる。これにより、耐火性を高めることによる継手とトイレ装置との接続の容易性の低下を抑制できる。
【００１２】
第３の発明は、第１または第２の発明において、前記第１部分には、前記接続部の内部に通じる開口部が設けられた継手である。
【００１３】
この継手によれば、開口部を通して、継手内部の点検や清掃が容易に行える。また、開口部が第２部分では無く第１部分に設けられることで、第２部分の大きさ及び前後方向の長さを小さくできる。第２部分が小型化した分、トイレ装置を小型化し、またはライニングに近づけて設置できる。これにより、トイレ装置が設けられた空間におけるトイレ装置が占める割合を小さくし、使用者が使える空間をより広くできる。
【００１４】
第４の発明は、第３の発明において、第２部材をさらに備え、前記開口部は、前記第１部分から上方に向けて突出し、前記第２部材は、前記開口部の周りに設けられ、前記第２部材の耐火性は、前記第１部分および前記開口部の耐火性よりも高い継手である。
【００１５】
この継手によれば、開口部付近における耐火性も高めることができる。
【００１６】
第５の発明は、第３または第４の発明の前記継手と、前記ライニングと、を備え、前記ライニングには、前記トイレ装置に給水するための給水管と前記トイレ装置とを連結する連結部材が設けられ、前記連結部材は、前記接続部よりも上方に位置し、前記開口部は、前記第１部分から上方に向けて突出し、前記連結部材の一部は、前記開口部の一部と同じ高さに設けられるライニングユニットである。
【００１７】
このライニングユニットによれば、継手、連結部材、および給水管が占める空間を小さくでき、よりライニングを小型化できる。そして、ライニングが小型化した分、トイレ室において使用者が使える空間をより広くできる。
【００１８】
第６の発明は、第３または第４の発明の前記継手と、前記ライニングと、前記トイレ装置と、を備え、前記トイレ装置は、前記ライニングと固定されるトイレユニットである。
【００１９】
このトイレユニットによれば、ライニングとトイレ装置との隙間を短くでき、トイレ室において使用者が使える空間をより広くできる。
【発明の効果】
【００２０】
本発明の態様によれば、ライニングを通したトイレ装置との接続の容易性の低下を抑制しつつ、耐火性を向上できる、継手、ライニングユニット、およびトイレユニットが提供される。
【図面の簡単な説明】
【００２１】
【図１】実施形態に係る継手を備えたトイレユニットを表す断面図である。
【図２】実施形態に係る継手を表す断面図である。
【図３】実施形態に係る継手を備えたトイレユニットの一部を表す側面図である。
【図４】実施形態に係る継手の上面図および正面図である。
【図５】実施形態に係るトイレユニットの一部を表す斜視図である。
【図６】実施形態に係る別の継手を表す断面図である。
【発明を実施するための形態】
【００２２】
以下、本発明の実施形態について図面を参照しつつ説明する。なお、各図面中、同様の構成要素には同一の符号を付して詳細な説明は適宜省略する。  
【００２３】
図１は、実施形態に係る継手を備えたトイレユニットを表す断面図である。
図１に表したトイレユニット１は、継手１０、ライニング２０、およびトイレ装置３０を備える。
【００２４】
継手１０の一端は、ライニング２０の外側に設けられるトイレ装置３０の排水口と接続される。継手１０の他端は、ライニング２０の内側に設けられる排水管２５と接続される。トイレ装置３０から排出された水は、継手１０を通り、排水管２５へ流れる。ライニング２０の内側には、排水管２５の他に、給水管２６が設けられる。給水管２６の一端は、連結部材２７を介して、トイレ装置３０の給水口と接続される。給水管２６の他端は、例えば、水を貯留するタンクに接続される。
【００２５】
本願明細書においては、実施形態の説明のために、「前方」、「後方」、「側方」、「上方」、および「後方」を用いる。図１に表したように、前方ＦＷは、ライニング２０に対してトイレ装置３０が設けられる方向である。後方ＲＷは、前方と反対の方向である。また、側方ＬＷは、水平かつ前後方向に対して垂直な方向である。上方ＵＷおよび下方ＤＷは、トイレ装置３０の使用者から見た方向であり、例えば前後方向に対して垂直である。
【００２６】
ライニング２０は、前面板２１、天板２２、およびフレーム２３を有する。前面板２１は、ライニング２０の前面に位置する。天板２２は、ライニング２０の上面に位置する。フレーム２３は、例えば、トイレ室の床面および側面に固定される。例えば、前面板２１は、フレーム２３の前面に留め具を用いて掛けられ、天板２２は、フレーム２３の上に載置されて固定される。前面板２１およびフレーム２３には、例えば、開口が設けられる。継手１０および連結部材２７は、この開口を通してトイレ装置３０と接続される。
【００２７】
トイレ装置３０は、例えば、洋式の腰掛便器（以下、便器という）３１、便座３２、および衛生洗浄装置３３を有する。便座３２および衛生洗浄装置３３は、便器３１の上に設けられる。便座３２は、衛生洗浄装置３３に対して回動可能に取り付けられる。図１では、便器３１が床面から離間した壁掛け式のトイレ装置３０が表されている。トイレユニット１は、壁掛け式のトイレ装置３０に代えて、便器３１が床面上に設置される床置き式のトイレ装置を備えていても良い。
【００２８】
図２は、実施形態に係る継手を表す断面図である。
図２は、前後方向および鉛直方向に平行な面における、継手１０の断面構造を表す。
継手１０は、接続部１１、第１部材４１、および被覆部材４５を有する。図２に表した例では、継手１０は、可撓部１２、開口部１３、および蓋部材１４をさらに有する。
【００２９】
接続部１１は、ライニング２０の内側に設けられる第１部分１１ａと、ライニング２０の外側に設けられる第２部分１１ｂと、を有する。可撓部１２は、第１部分１１ａと連結される。一例として、第１部分１１ａと可撓部１２とは、第１部分１１ａの一部が可撓部１２の一部の内側に挿入されることで、連結される。可撓部１２は、可撓性を有する。例えば、可撓部１２は、図２に表したように、蛇腹構造を有する。または、可撓部１２は、可撓性の材料から構成されても良い。
【００３０】
第１部分１１ａには、開口部１３が設けられる。開口部１３は、接続部１１の内側に通じている。開口部１３には、蓋部材１４が取り付けられる。蓋部材１４が取り付けられた状態において、開口部１３は蓋部材１４により塞がれる。例えば、トイレユニット１を清掃する人は、蓋部材１４を開口部１３から外すことで、開口部１３を通して継手１０の内側を清掃できる。
【００３１】
開口部１３は、第１部分１１ａの上部に設けられる。開口部１３は、柱状であり、第１部分１１ａから上方に向けて突出している。例えば、開口部１３は、図２に表したように、第１部分１１ａから、上方且つ後方に向けて突出している。
【００３２】
第１部分１１ａの少なくとも一部は、第１部材４１により被覆される。例えば、第１部材４１は、第１部分１１ａの外周面に接触して設けられる。第１部材４１の剛性は、第１部分１１ａの剛性よりも低い。第１部材４１の柔軟性は、第１部分１１ａの柔軟性よりも高い。このため、第１部材４１は、第１部分１１ａよりも変形し易い。
【００３３】
第１部分１１ａの少なくとも一部は、さらに被覆部材４５により被覆される。例えば、被覆部材４５は、第１部分１１ａの外周面および第１部材４１に接触して設けられる。第１部材４１は、第１部分１１ａと被覆部材４５との間に位置する。例えば、第１部材４１および被覆部材４５は、開口部１３を避けて設けられる。
【００３４】
被覆部材４５の耐火性は、第１部分１１ａおよび可撓部１２の耐火性よりも高い。被覆部材４５の耐火性は、例えば第２部分１１ｂの耐火性よりも高い。被覆部材４５は、例えば耐火性を有する。第１部材４１の耐火性は、接続部１１および可撓部１２の耐火性よりも低くても良いし、高くても良い。また、第１部材４１の耐火性は、被覆部材４５よりも低くても良いし、高くても良い。
【００３５】
第１部材４１の剛性は、被覆部材４５の剛性よりも低い。第１部材４１の柔軟性は、被覆部材４５の柔軟性よりも高い。このため、第１部材４１は、被覆部材４５よりも変形し易い。例えば、被覆部材４５は、さらに、可撓部１２および排水管２５を被覆する。
【００３６】
開口部１３および蓋部材１４の周りには、第２部材４２が設けられる。例えば、第２部材４２は、開口部１３および蓋部材１４の側方に設けられる。換言すると、開口部１３および蓋部材１４から第２部材４２に向かう方向は、柱状の開口部１３の延在方向ＥＤに対して垂直である。第２部材４２の耐火性は、第１部分１１ａ、可撓部１２、および開口部１３の耐火性よりも高い。第２部材４２の耐火性は、例えば第２部分１１ｂの耐火性よりも高い。第２部材４２は、例えば耐火性を有する。第２部材４２は、例えば環状である。第２部材４２は、例えば、開口部１３および蓋部材１４から離間し、被覆部材４５と固定される。
【００３７】
耐火性は、例えば、それぞれの部材の同じ面積に、同じ条件で発生させた火を直接当て、同じ期間において燃焼した体積を比べることで、比較できる。燃焼した体積が小さい方が、相対的に耐火性が高いとみなせる。また、第１部分１１ａ、第１部材４１、および被覆部材４５のそれぞれの剛性については、曲げ試験などの公知の試験方法を用いて測定可能である。
【００３８】
実施形態のより好ましい構成について、以下で説明する。
図３は、実施形態に係る継手を備えたトイレユニットの一部を表す側面図である。
図４（ａ）および図４（ｂ）は、それぞれ、実施形態に係る継手の上面図および正面図である。
【００３９】
図３に表したように、連結部材２７は、継手１０の上方に設けられる。例えば、連結部材２７の少なくとも一部は、接続部１１の少なくとも一部の直上に位置する。連結部材２７の一部は、開口部１３の一部および蓋部材１４の一部と同じ高さに設けられる。
【００４０】
例えば、開口部１３は、図４（ａ）および図４（ｂ）に表したように、上方、後方、且つ側方に向けて突出している。また、図３に表したように、連結部材２７のライニング２０（フレーム２３）に固定された部分の上下方向の長さＬ１は、それよりも後方の部分の上下方向の長さＬ２よりも短い。これにより、連結部材２７が開口部１３および蓋部材１４と接触しないように、連結部材２７の一部を開口部１３の一部および蓋部材１４の一部と同じ高さに設けることができる。
【００４１】
図５は、実施形態に係るトイレユニットの一部を表す斜視図である。
なお、図５では、ライニング２０の前面板２１が省略されている。
【００４２】
図５に表したように、トイレ装置３０は、固定部材２８を用いて、ライニング２０のフレーム２３と固定される。一例として、固定部材２８は、ナット２８ａ、ナット２８ｂ、およびボルト２８ｃを有する。ナット２８ａおよびナット２８ｂは、便器３１の一部を挟んで、前後方向に並べて設けられる。便器３１の当該一部には孔が設けられる。ボルト２８ｃを、ナット２８ａおよびナット２８ｂと螺合させ、締め上げることで、便器３１がフレーム２３に固定される。
【００４３】
トイレ装置３０がライニング２０と固定されることで、ライニング２０とトイレ装置３０との隙間を小さくできる。便器３１は、例えば陶器製であり、耐火性を有する。便器３１の耐火性は、接続部１１および可撓部１２の耐火性よりも高い。ライニング２０から引き出された接続部１１の第２部分１１ｂが、すぐに便器３１に接続される場合、第２部分１１ｂは、第１部材４１や被覆部材４５などの耐火性の部材により被覆されなくて良い。例えば、第２部分１１ｂの前後方向における長さは、２５ｍｍ以上５０ｍｍ以下である。
【００４４】
実施形態に係る継手１０の各構成要素の材料を説明する。
接続部１１、可撓部１２、および開口部１３は、例えば、塩化ビニルにより構成される。蓋部材１４は、例えば金属から構成される。第１部材４１としては、例えば、ロックウールまたはエプトシーラー（登録商標）が用いられる。第２部材４２および被覆部材４５は、例えば、モルタルまたは金属などの耐火性を有する（燃焼し難い）材料から構成される。金属としては、例えば、鉄、クロム、およびニッケルの少なくともいずれかが用いられる。または、金属として、鉄、クロム、およびニッケルの少なくともいずれかを含む合金（例えばステンレス鋼）が用いられても良い。
【００４５】
実施形態の効果を説明する。
実施形態に係る継手１０において、第１部分１１ａの少なくとも一部は、第１部分１１ａよりも耐火性の高い被覆部材４５により被覆されている。これにより、接続部１１の耐火性を高めることができる。また、被覆部材４５と第１部分１１ａとの間には、第１部材４１が設けられる。この第１部材４１の剛性は、被覆部材４５の剛性よりも低い。このため、接続部１１に力を加えた際には、第１部材４１が変形することで、被覆部材４５に対して接続部１１を動かすことができる。トイレ装置３０の形状および寸法のばらつき、トイレ装置３０の取り付け位置のばらつきなどに応じて接続部１１を動かせることで、継手１０とトイレ装置３０とを容易に接続できる。すなわち、実施形態によれば、継手１０とトイレ装置３０との接続の容易性の低下を抑制しつつ、接続部１１の耐火性を高めることが可能となる。
【００４６】
例えば、被覆部材４５は、接続部１１および可撓部１２を被覆する。接続部１１および可撓部１２が被覆部材４５に被覆されると、接続部１１を可撓部１２に対して動かすことが困難になる。しかし、上述したように、第１部分１１ａと被覆部材４５との間に第１部材４１が設けられることで、接続部１１を可撓部１２および被覆部材４５に対して動かす余地が生じる。このため、継手１０が可撓部１２を備え、被覆部材４５が可撓部１２をさらに被覆する場合でも、実施形態によれば、継手１０とトイレ装置３０との接続の容易性の低下を抑制できる。
【００４７】
第１部材４１としては、エプトシーラー（登録商標）が好適である。エプトシーラー（登録商標）は、高い反発力を有する。従って、被覆部材４５を第１部分１１ａに向けて加圧しながら設けた場合であっても、第１部材４１が圧縮され難い。第１部材４１が圧縮され難くなることで、接続部１１に力を加えた際に、第１部材４１が変形できる量をより大きくできる。このため、継手１０とトイレ装置３０との接続がより容易となる。
【００４８】
好ましくは、第１部分１１ａには、開口部１３が設けられる。開口部１３が設けられることで、継手１０内部の点検や清掃が容易となる。また、開口部１３が第２部分１１ｂでは無く第１部分１１ａに設けられることで、第２部分１１ｂの大きさ及び前後方向の長さを小さくできる。そして、第２部分１１ｂが小型化した分、トイレ装置３０を小型化し、またはライニング２０に近づけて設置できる。これにより、トイレ室においてトイレ装置３０が占める空間の割合を小さくし、使用者が使える空間をより広くできる。
【００４９】
また、開口部１３が第１部分１１ａの上部に設けられることで、第１部分１１ａを通る排水の流れが阻害され難くなる。これにより、開口部１３に汚物やトイレットペーパーなどの固形物が引っ掛かり難くなり、継手１０において詰まりが生じ難くなる。
【００５０】
好ましくは、開口部１３の周りには、第２部材４２が設けられる。第２部材４２が設けられることで、開口部１３付近における耐火性も高めることができる。
【００５１】
また、連結部材２７の一部は、開口部１３の一部と同じ高さに設けられることが好ましい。この構成によれば、継手１０、連結部材２７、および給水管２６が占める空間を小さくでき、よりライニング２０を小型化できる。そして、ライニング２０が小型化した分、トイレ室において使用者が使える空間をより広くできる。
【００５２】
トイレ装置３０は、図５に表したように、ライニング２０（フレーム２３）と固定されることが好ましい。ライニング２０とトイレ装置３０を固定し、ライニング２０とトイレ装置３０との隙間を短くすることで、トイレ室において使用者が使える空間をより広くできる。
【００５３】
また、ライニング２０とトイレ装置３０との隙間が短くなると、その分、第２部分１１ｂも短くなる。第２部分１１ｂが十分に長い場合は、例えば、第２部分１１ｂの少なくとも一部を変形可能に構成することで、第２部分１１ｂをトイレ装置３０に合わせて動かすことが可能である。しかし、第２部分１１ｂが短い場合は、このような構成の採用は困難である。
一方で、実施形態によれば、上述した通り、接続部１１をトイレ装置３０に合わせて動かすことが可能である。従って、実施形態によれば、ライニング２０とトイレ装置３０との隙間が短い場合でも、継手１０とトイレ装置３０とを容易に接続できる。
【００５４】
図６は、実施形態に係る別の継手を表す断面図である。
図６に表した継手１０ａは、被覆部材４５を備えていない点で、図２に表した継手１０と異なる。継手１０ａにおいて、第１部材４１の耐火性は、第１部分１１ａおよび可撓部１２の耐火性よりも高い。第１部材４１の耐火性は、例えば第２部分１１ｂの耐火性よりも高い。第１部材４１は、例えば耐火性を有する。第１部材４１は、例えばロックウールである。第１部材４１の耐火性が第１部分１１ａよりも高い場合、被覆部材４５が設けられなくても良い。例えば、第１部材４１は、第１部分１１ａの少なくとも一部および可撓部１２を被覆する。
【００５５】
第１部材４１の剛性は、第１部分１１ａの剛性よりも低い。このため、第１部材４１を設けた場合でも、トイレ装置３０に応じて接続部１１を動かすことができる。従って、この実施形態によれば、接続部１１に耐火性を高めつつ、継手１０とトイレ装置３０との接続を容易に行える。
【００５６】
上述した各実施形態では、トイレ装置として大便器装置が設けられる場合を説明した。本発明の実施形態は、この例に限定されない。例えば、トイレ装置は、小便器装置またはオストメイト対応トイレであっても良い。これらのトイレ装置についても、実施形態に係る継手１０または１０ａを用いることで、トイレ装置との接続性の低下を抑制しつつ、接続部１１の耐火性を向上できる。
【００５７】
以上で説明した、継手、継手とライニングを備えたライニングユニット、およびトイレユニットによれば、継手とトイレ装置との接続の容易性の低下を抑制しつつ、接続部の耐火性を向上できる。
【００５８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、継手、ライニング、トイレ装置などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１ トイレユニット、  １０、１０ａ 継手、  １１ 接続部、  １１ａ 第１部分、  １１ｂ 第２部分、  １２ 可撓部、  １３ 開口部、  １４ 蓋部材、  ２０ ライニング、  ２１ 前面板、  ２２ 天板、  ２３ フレーム、  ２５ 排水管、  ２６ 給水管、  ２７ 連結部材、  ２８ 固定部材、  ２８ａ ナット、  ２８ｂ ナット、  ２８ｃ ボルト、  ３０ トイレ装置、  ３１ 便器、  ３２ 便座、  ３３ 衛生洗浄装置、  ４１ 第一部材、  ４２ 第二部材、  ４５ 被覆部材、  ＤＷ 下方、  ＥＤ 延在方向、  ＦＷ 前方、  Ｌ１、Ｌ２ 長さ、  ＬＷ 側方、  ＲＷ 後方、  ＵＷ 上方
【図１】
2019100533.tif 000003
【図２】
2019100533.tif 000004
【図３】
2019100533.tif 000005
【図４】
2019100533.tif 000006
【図５】
2019100533.tif 000007
【図６】
2019100533.tif 000008